(57)【要約】【課題】  背景画像の選択の際におけるユーザの負担を軽減する技術を提供すること。【解決手段】  画像を処理する画像処理装置であって、画像を表示する画像表示部と、画像表示部に表示される画像を合成基準画像として取得する合成基準画像取得部と、外部から送られてくるテレビジョン番組情報を表わす番組データを格納する番組データ格納部と、テレビジョン番組情報に対応する複数のカテゴリにそれぞれ分別される複数の背景画像データを格納する背景画像データ格納部と、格納された番組データに基づいて、合成基準画像に対応する前記テレビジョン番組情報を特定し、特定したテレビジョン番組情報に対応する前記カテゴリに分別される背景画像データを検索する背景画像検索部と、を備え、画像表示部は、背景画像検索部が検索した背景画像データのうち少なくとも１つ以上の背景画像データを合成基準画像に対する合成候補画像として表示する。【選択図】        図５
2005284770.tif 000002
【特許請求の範囲】
【請求項１】
画像を処理する画像処理装置であって、
前記画像を表示する画像表示部と、
前記画像表示部に表示される前記画像を合成基準画像として取得する合成基準画像取得部と、
外部から送られてくるテレビジョン番組情報を表わす番組データを格納する番組データ格納部と、
前記テレビジョン番組情報に対応する複数のカテゴリにそれぞれ分別される複数の背景画像データを格納する背景画像データ格納部と、
格納された前記番組データに基づいて、前記合成基準画像に対応する前記テレビジョン番組情報を特定し、特定したテレビジョン番組情報に対応する前記カテゴリに分別される背景画像データを検索する背景画像検索部と、
を備え、
前記画像表示部は、
前記背景画像検索部が検索した前記背景画像データのうち少なくとも１つ以上の前記背景画像データを前記合成基準画像に対する合成候補画像として表示することを特徴とする画像処理装置。
【請求項２】
請求項１に記載の画像処理装置において、
前記背景画像検索部は、
前記合成基準画像に対応するチャンネルを特定し、特定した前記チャンネルに基づいて前記番組データにおける前記テレビジョン番組情報を特定することを特徴とする画像処理装置。
【請求項３】
請求項１に記載の画像処理装置において、
前記背景画像検索部は、
前記合成基準画像取得部が前記合成基準画像を取得したタイミングを特定し、特定した前記タイミングに基づいて前記番組データにおける前記テレビジョン番組情報を特定することを特徴とする画像処理装置。
【請求項４】
画像を処理する画像処理装置であって、
前記画像を表示する画像表示部と、
所定の画像を合成基準画像として取得する合成基準画像取得部と、
所定の時期情報に対応する複数のカテゴリにそれぞれ分別される複数の背景画像データを格納する背景画像データ格納部と、
前記合成基準画像取得部が前記合成基準画像を取得したタイミングに基づく時期情報を特定し、特定した前記時期情報と対応する前記カテゴリに分別される背景画像データを検索する背景画像検索部と、
を備え、
前記画像表示部は、
前記背景画像検索部が検索した前記背景画像データのうち少なくとも１つ以上の前記背景画像データを前記合成基準画像に対する合成候補画像として表示することを特徴とする画像処理装置。
【請求項５】
請求項４に記載の画像処理装置において、
前記所定の画像は、外部から与えられる画像、もしくは、前記画像表示部に表示される前記画像を取得した画像であることを特徴とする画像処理装置。
【請求項６】
請求項３ないし請求項５に記載の画像処理装置において、
現在の時を表わす時計部を備え、
前記背景画像検索部は、
前記合成基準画像取得部が前記合成基準画像を取得した際の前記タイミングを、前記時計部から取得した前記現在の時から特定することを特徴とする画像処理装置。
【請求項７】
請求項１ないし請求項６のいずれかに記載の画像処理装置において、
前記画像表示部に表示された前記合成候補画像のうち、外部からの指示に基づいて選択された少なくとも１つの前記合成候補画像と、前記合成基準画像とを合成する画像合成部と、
合成した画像を所定の出力装置に出力する画像出力部と、
を備えたことを特徴とする画像処理装置。
【請求項８】
請求項７に記載の画像処理装置において、
前記画像出力部が出力する装置は、画像印刷装置であることを特徴とする画像処理装置。
【請求項９】
画像を表示するテレビ受像機であって、
前記画像表示部に表示される前記画像を合成基準画像として取得する合成基準画像取得部と、
外部から送られてくる複数のテレビジョン番組情報を表わす番組データを格納する番組データ格納部と、
前記テレビジョン番組情報に対応する複数のカテゴリにそれぞれ分別される複数の背景画像データを格納する背景画像データ格納部と、
格納された前記番組データに基づいて、前記合成基準画像に対応する前記テレビジョン番組情報を特定し、特定したテレビジョン番組情報に対応する前記カテゴリに分別される背景画像データを検索する背景画像検索部と、
を備え、
前記背景画像検索部が検索した前記背景画像データのうち少なくとも１つ以上の前記背景画像データを前記合成基準画像に対する合成候補画像として表示することを特徴とするテレビ受像機。
【請求項１０】
画像を表示するテレビ受像機であって、
所定の画像を合成基準画像として取得する合成基準画像取得部と、
所定の時期情報に対応する複数のカテゴリにそれぞれ分別される複数の背景画像データを格納する背景画像データ格納部と、
前記合成基準画像取得部が前記合成基準画像を取得したタイミングに基づく時期情報を特定し、特定した前記時期情報と対応する前記カテゴリに分別される背景画像データを検索する背景画像検索部と、
を備え、
前記背景画像検索部が検索した前記背景画像データのうち少なくとも１つ以上の前記背景画像データを前記合成基準画像に対する合成候補画像として表示することを特徴とするテレビ受像機。
【請求項１１】
画像を処理する画像処理方法であって、
（ａ）前記画像を表示する工程と、
（ｂ）表示される前記画像を合成基準画像として取得する工程と、
（ｃ）外部から送られてくる複数のテレビジョン番組情報を表わす番組データを格納する工程と、
（ｄ）前記テレビジョン番組情報に対応する複数のカテゴリにそれぞれ分別される複数の背景画像データを格納する工程と、
（e）格納された前記番組データに基づいて、前記合成基準画像に対応する前記テレビジョン番組情報を特定し、特定したテレビジョン番組情報に対応する前記カテゴリに分別される背景画像データを検索する工程と、
（ｆ）検索した前記背景画像データのうち少なくとも１つ以上の前記背景画像データを前記合成基準画像に対する合成候補画像として表示する工程と、
を備えることを特徴とする画像処理方法。
【請求項１２】
画像を処理する画像処理方法であって、
（ａ）前記画像を表示する工程と、
（ｂ）所定の画像を合成基準画像として取得する工程と、
（ｃ）所定の時期情報に対応する複数のカテゴリにそれぞれ分別される複数の背景画像データを格納する工程と、
（ｄ）前記合成基準画像取得部が前記合成基準画像を取得したタイミングに基づく時期情報を特定し、特定した前記時期情報と対応する前記カテゴリに分別される背景画像データを検索する工程と、
（ｅ）検索した前記背景画像データのうち少なくとも１つ以上の前記背景画像データを前記合成基準画像に対する合成候補画像として表示する工程と、
を備えることを特徴とする画像処理方法。
【請求項１３】
画像を処理するコンピュータプログラムであって、
（ａ）前記画像を表示する機能と、
（ｂ）表示される前記画像を合成基準画像として取得する機能と、
（ｃ）外部から送られてくる複数のテレビジョン番組情報を表わす番組データを格納する機能と、
（ｄ）前記テレビジョン番組情報に対応する複数のカテゴリにそれぞれ分別される複数の背景画像データを格納する機能と、
（e）格納された前記番組データに基づいて、前記合成基準画像に対応する前記テレビジョン番組情報を特定し、特定したテレビジョン番組情報に対応する前記カテゴリに分別される背景画像データを検索する機能と、
（ｆ）検索した前記背景画像データのうち少なくとも１つ以上の前記背景画像データを前記合成基準画像に対する合成候補画像として表示する機能と、
をコンピュータで実現させるコンピュータプログラム。
【請求項１４】
画像を処理するコンピュータプログラムであって、
（ａ）前記画像を表示する機能と、
（ｂ）所定の画像を合成基準画像として取得する機能と、
（ｃ）所定の時期情報に対応する複数のカテゴリにそれぞれ分別される複数の背景画像データを格納する機能と、
（ｄ）前記合成基準画像取得部が前記合成基準画像を取得したタイミングに基づく時期情報を特定し、特定した前記時期情報と対応する前記カテゴリに分別される背景画像データを検索する機能と、
（ｅ）検索した前記背景画像データのうち少なくとも１つ以上の前記背景画像データを前記合成基準画像に対する合成候補画像として表示する機能と、
をコンピュータで実現させるコンピュータプログラム。
【請求項１５】
請求項１４または請求項１５に記載のコンピュータプログラムをコンピュータ読み取り可能に記録した記録媒体。
【発明の詳細な説明】
【技術分野】
【０００１】
本発明は、画像データに背景画像データを合成する画像合成技術に関する。
【背景技術】
【０００２】
近年、テレビ受像機は、受信した画像を表示する以外に、種々の機能を備えるようになってきている。例えば、テレビ受像機において、表示する画像をキャプチャした画像、もしくは外部から取り入れた画像と、枠を表わす画像や種々の記号、マークなどを表わす画像といった背景画像とを合成し、表示することが行われる。このような合成対象となる背景画像は、通常、様々な背景画像の中から合成相手の画像に応じてユーザにより任意に選択される。
【０００３】
【特許文献１】特開平１１−８８３１号公報
【発明の開示】
【発明が解決しようとする課題】
【０００４】
しかしながら、複数の背景画像の中から合成対象としての背景画像を選択する際に、その選択肢の増加に応じてユーザによる選択の負担が増大するという問題があった。
【０００５】
なお、上述の問題は、テレビ受像機に限らず、その他の画像処理装置においても共通する問題である。
【０００６】
本発明は、上記課題にかんがみてなされたもので、背景画像の選択の際におけるユーザの負担を軽減する技術を提供することを目的とする。
【課題を解決するための手段】
【０００７】
上記目的の少なくとも一部を達成するために、本発明の第１の画像処理装置は、画像を処理する画像処理装置であって、
前記画像を表示する画像表示部と、
前記画像表示部に表示される前記画像を合成基準画像として取得する合成基準画像取得部と、
外部から送られてくるテレビジョン番組情報を表わす番組データを格納する番組データ格納部と、
前記テレビジョン番組情報に対応する複数のカテゴリにそれぞれ分別される複数の背景画像データを格納する背景画像データ格納部と、
格納された前記番組データに基づいて、前記合成基準画像に対応する前記テレビジョン番組情報を特定し、特定したテレビジョン番組情報に対応する前記カテゴリに分別される背景画像データを検索する背景画像検索部と、
を備え、
前記画像表示部は、
前記背景画像検索部が検索した前記背景画像データのうち少なくとも１つ以上の前記背景画像データを前記合成基準画像に対する合成候補画像として表示することを要旨とする。
【０００８】
本発明の画像処理装置の構成によれば、たくさんある背景画像の候補を絞り込むことができるので、背景画像の選択の際におけるユーザの負担を軽減することができる。
【０００９】
上記画像処理装置において、
前記背景画像検索部は、
前記合成基準画像に対応するチャンネルを特定し、特定した前記チャンネルに基づいて前記番組データにおける前記テレビジョン番組情報を特定するようにしてもよい。
このようにすれば、適切にテレビジョン番組情報を特定することができる。
【００１０】
上記画像処理装置において、
前記背景画像検索部は、
前記合成基準画像取得部が前記合成基準画像を取得したタイミングを特定し、特定した前記タイミングに基づいて前記番組データにおける前記テレビジョン番組情報を特定するようにしてもよい。
このようにすれば、適切にテレビジョン番組情報を特定することができる。
【００１１】
上記目的の少なくとも一部を達成するために、本発明の第２の画像処理装置は、
画像を処理する画像処理装置であって、
前記画像を表示する画像表示部と、
所定の画像を合成基準画像として取得する合成基準画像取得部と、
所定の時期情報に対応する複数のカテゴリにそれぞれ分別される複数の背景画像データを格納する背景画像データ格納部と、
前記合成基準画像取得部が前記合成基準画像を取得したタイミングに基づく時期情報を特定し、特定した前記時期情報と対応する前記カテゴリに分別される背景画像データを検索する背景画像検索部と、
を備え、
前記画像表示部は、
前記背景画像検索部が検索した前記背景画像データのうち少なくとも１つ以上の前記背景画像データを前記合成基準画像に対する合成候補画像として表示することを要旨とする。
【００１２】
本発明の画像処理装置の構成によれば、たくさんある背景画像の候補を絞り込むことができるので、背景画像の選択の際におけるユーザの負担を軽減することができる。
【００１３】
上記画像処理装置において、
前記所定の画像は、外部から与えられる画像、もしくは、前記画像表示部に表示される前記画像を取得した画像であることとしてもよい。
【００１４】
上記画像処理装置は、
現在の時を表わす時計部を備え、
前記背景画像検索部は、
前記合成基準画像取得部が前記合成基準画像を取得した際の前記タイミングを、前記時計部から取得した前記現在の時から特定するようにしてもよい。
【００１５】
このようにすれば、精度よく合成基準画像を取得した際のタイミングを特定することができる。
【００１６】
上記画像処理装置は、
前記画像表示部に表示された前記合成候補画像のうち、外部からの指示に基づいて選択された少なくとも１つの前記合成候補画像と、前記合成基準画像とを合成する画像合成部と、
合成した画像を所定の出力装置に出力する画像出力部と、を備えてもよい。
このようにすれば、ユーザは、好適な合成画像を取得することができる。
【００１７】
上記画像処理装置において、
前記画像出力部が出力する装置は、画像印刷装置であってもよい。
【００１８】
上記目的の少なくとも一部を達成するために、本発明の第１のテレビ受像機によれば、画像を表示するテレビ受像機であって、
前記画像表示部に表示される前記画像を合成基準画像として取得する合成基準画像取得部と、
外部から送られてくる複数のテレビジョン番組情報を表わす番組データを格納する番組データ格納部と、
前記テレビジョン番組情報に対応する複数のカテゴリにそれぞれ分別される複数の背景画像データを格納する背景画像データ格納部と、
格納された前記番組データに基づいて、前記合成基準画像に対応する前記テレビジョン番組情報を特定し、特定したテレビジョン番組情報に対応する前記カテゴリに分別される背景画像データを検索する背景画像検索部と、
を備え、
前記背景画像検索部が検索した前記背景画像データのうち少なくとも１つ以上の前記背景画像データを前記合成基準画像に対する合成候補画像として表示することを要旨とする。
【００１９】
本発明のテレビ受像機の構成によれば、たくさんある背景画像の候補を絞り込むことができるので、背景画像の選択の際におけるユーザの負担を軽減することができる。
【００２０】
上記目的の少なくとも一部を達成するために、本発明の第２のテレビ受像機によれば、画像を表示するテレビ受像機であって、
所定の画像を合成基準画像として取得する合成基準画像取得部と、
所定の時期情報に対応する複数のカテゴリにそれぞれ分別される複数の背景画像データを格納する背景画像データ格納部と、
前記合成基準画像取得部が前記合成基準画像を取得したタイミングに基づく時期情報を特定し、特定した前記時期情報と対応する前記カテゴリに分別される背景画像データを検索する背景画像検索部と、
を備え、
前記背景画像検索部が検索した前記背景画像データのうち少なくとも１つ以上の前記背景画像データを前記合成基準画像に対する合成候補画像として表示することを要旨とする。
【００２１】
本発明のテレビ受像機の構成によれば、たくさんある背景画像の候補を絞り込むことができるので、背景画像の選択の際におけるユーザの負担を軽減することができる。
【００２２】
なお、本発明は、上記した装置発明の態様に限ることなく、方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００２３】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００２４】
以下では、本発明の実施の形態を実施例に基づいて以下の手順で説明する。
Ａ．第１の実施例：
Ａ１．テレビ受像機の構成：
Ａ２．処理の流れ：
Ａ３．実施例の効果：
Ｂ．第２の実施例：
Ｂ１．テレビ受像機の構成：
Ｂ２．処理の流れ：
Ｂ３．実施例の効果：
Ｃ．変形例：
【００２５】
Ａ．第１の実施例：
Ａ１．テレビ受像機の構成：
図１は、本発明の実施例におけるテレビ受像機の概略構成を示す説明図である。このテレビ受像機１０は、ＣＰＵ１００と、ＴＶチューナ１１０と、画像処理部Ａ１２０と、表示部１３０と、操作部１４０と、時計部としてリアルタイムクロック１５０と、メモリ１９０と、メモリ１８０と、プリンタ３００とを備え、それぞれがバス１００ｂを介して接続されている。
【００２６】
ＣＰＵ１００は、上述したＴＶチューナ１１０と、画像処理回路１２０と、表示部１３０と、操作部１４０と、リアルタイムクロック１５０と、メモリ１９０と、メモリ１８０と、プリンタ３００の各部の制御を行う。また、ＣＰＵ１００は、ＲＯＭ（図示せず）から所望のプログラムを読み出し、メモリ１９０上で実行することで、画像処理部２００としても機能する。また、この画像処理部２００は、所定の画像処理を行う他、ウィンドウ作成部２１０、画像取得部２２０、背景画像検索部２３０、画像合成処理部２４０、およびＥＰＧデータ取得部２５０の機能も備えている。
【００２７】
図２は、本実施例におけるテレビ受像機の正面図である。
図に示すように、テレビ受像機１０の正面における上面には、表示部１３０が備えられており、下面には、操作部１４０と、プリンタ３００が備えられている。
【００２８】
図に示すように、操作部１４０は、十字キー１４２と、合成画像作成ボタン１４４と、画像指定ボタン１４６と、チャンネル切り替えエリア１４８とを備えている。チャンネル切り替えエリア１４８には、５つのボタンがあり、ユーザは、これらのボタンを押すことにより、チャンネルＡ〜Ｅの５つのチャンネルを指定することができるようになっている。十字キー１４２と、合成画像作成ボタン１４４と、画像指定ボタン１４６についての詳細は、後述する。なお、この操作部１４０は、上記機能を備えていればよく、例えば、タッチパネルなどもよい。
【００２９】
また、表示部１３０は、例えば、液晶ディスプレイ、ＰＤＰ（プラズマ  ディスプレイ）、ＣＲＴなどで構成されており、画像処理回路１２０で処理された画像データを表示する。
【００３０】
ＴＶチューナ１１０（図１）は、アンテナで受信したテレビジョン信号（以下、ＴＶ信号とも呼ぶ。）の中から、操作部１４０を介してユーザにより指定されるチャンネルのＴＶ信号を選択し、ＴＶ信号Ｘとして、画像処理回路１２０に出力する。また、ＴＶチューナ１１０は、選択中のチャンネルにおけるＴＶ信号Ｘにおいて、その垂直帰線期間に含まれる電子番組情報（Electric  Program  Guide  data、以下、ＥＰＧデータとも呼ぶ。）を随時抽出する。
【００３１】
画像処理回路１２０（図１）は、表示用メモリ１２５を備えており、ＴＶチューナ１１０から出力されたＴＶ信号Ｘを、アナログ／ディジタル処理後、リサイズ処理、γ補正処理などの所定の画像処理を行い画像データとして表示用メモリ１２５に書き込む。そして、画像処理回路１２０は、表示部１３０を駆動し、表示用メモリ１２５に書き込まれた画像データが表わす画像（以下、ＴＶ画像とも呼ぶ。）を表示部１３０に表示する。また、後述の画像合成処理中には、ＴＶ画像の表示を停止し、画像合成処理に伴う画像を表示部１３０に表示する。
【００３２】
なお、上記画像データは、ドットマトリクス状の各画素の階調値を示す階調データ（以下、「画素データ」とも呼ぶ。）で構成されている。画素データは、Ｙ（輝度）、Ｃｂ(ブルーの色差)、Ｃｒ(レッドの色差)からなるＹＣｂＣｒデータや、Ｒ（レッド）、Ｇ（グリーン）、Ｂ（ブルー）からなるＲＧＢデータ等である。
【００３３】
リアルタイムクロック１５０は、電源（図示せず）が切られている間も内蔵電池（図示せず）から電源供給を受けて動作しており、現在の年月日時を表す。従って、このリアルタイムクロック１５０にアクセスすれば、現在の年月日時を知ることができる。
【００３４】
メモリ１９０は、画像処理部２００、および、ウィンドウ作成部２１０、画像取得部２２０、背景画像検索部２３０、画像合成処理部２４０、ＥＰＧデータ取得部２５０などが所定の処理を行うための作業領域である。
【００３５】
メモリ１８０は、背景画像データテーブル格納部１８２と、ＥＰＧデータテーブル格納部１８４と、キャプチャ画像データ格納部１８６と、合成画像データ格納部１８８とを備えている。キャプチャ画像データ格納部１８６には、後述するキャプチャ画像データが格納され、合成画像データ格納部１８８には、後述する合成画像データが格納される。また、ＥＰＧデータテーブル格納部１８４には、チャンネルＡ〜Ｅに対応して５つのＥＰＧデータテーブルＡ〜Ｅが格納されている。さらに、背景画像データテーブル格納部１８２には、背景画像データテーブルが格納されている。
【００３６】
ここで、ＥＰＧデータテーブルおよび背景画像データテーブルについて、それぞれ説明する。
図３は、本実施例におけるＥＰＧデータテーブルの一例を示す模式図である。上述したように、ＥＰＧデータテーブルは、Ａ〜Ｅの５つあるが、図には、例としてＥＰＧデータテーブルＡおよびＢのみが示されている。
【００３７】
各ＥＰＧデータテーブルには、番組単位で通し番号としての番組番号が付与されている。そして、これらのＥＰＧデータテーブルでは、番組ごとに、５つの情報、すなわち、「番組名」、「放送期間」、「ジャンル」、「番組詳細」、「出演者」の情報が記憶されている。「番組名」情報は、番組のタイトル情報であり、「放送期間」情報は、番組が放送される年月日時情報である。また、「ジャンル」情報は、番組の属する１０種類のカテゴリ情報、すなわち、スポーツ、アニメ、バラエティー、ドラマ、映画、芸能、音楽、教養、趣味、報道の情報である。さらに、「番組詳細」情報は、その番組の詳細な情報であり、「出演者」情報は、その番組に出演する主な出演者情報である。
【００３８】
図４は、本実施例における背景画像データテーブルを説明するための図である。図４（ａ）に示すように、背景画像データテーブルには、１０種類のジャンルのそれぞれに対応して、背景画像データ群が記憶されている。この背景画像データ群は、対応するジャンルにちなんだ内容を表現する画像データの集まりとなっている。例えば、ジャンル：スポーツに対応する背景画像データ群は、図４（ｂ）の（ｉ）〜（ｉｖ）に示すように、スポーツにちなんだ背景画像データの集まりとなっている。
【００３９】
プリンタ３００は、所定の画像データを取得し、印刷する。
ウィンドウ作成部２１０は、メモリ１９０上で所定のウィンドウを表わすウィンドウ画像を作成し、作成したウィンドウ画像を表示用メモリ１２５に書き込む。表示用メモリ１２５に書き込まれたウィンドウ画像は、画像処理回路１２０によって、表示部１３０に表示される。なお、作成するウィンドウ画像についての詳細は、後述する。
【００４０】
画像取得部２２０は、ユーザにより操作部１４０を介して指示があると、その時に、表示部１３０に表示されている画像の画像データ、すなわち、表示用メモリ１２５に書き込まれている画像データを取得する。なお、以下では、表示部１３０に表示されている画像の画像データを取得することと、表示用メモリ１２５に書き込まれている画像データを取得することを、同義とし、これらを共にキャプチャとも呼ぶ。また、キャプチャした画像データをキャプチャ画像データとも呼び、キャプチャ画像データが表わす画像をキャプチャ画像とも呼ぶ。
【００４１】
背景画像検索部２３０は、画像取得部２２０がキャプチャした際、リアルタイムクロック１５０から現在の年月日時を取得すると共に、ＴＶチューナ１１０からチャンネル番号を取得する。そして、背景画像検索部２３０は、これらの情報に基づいて、ＥＰＧデータテーブル（図３）において、或る番組を特定し、その番組のジャンル情報を取得する。さらに、背景画像検索部２３０は、背景画像データテーブル（図４）において、取得したジャンル情報と一致するジャンルに対応する背景画像データ群を取得する。
【００４２】
画像合成処理部２４０は、背景画像検索部２３０が取得した背景画像データ群のうち、ユーザにより選択された背景画像データと、画像取得部２２０がキャプチャしたキャプチャ画像データとをメモリ１９０上で合成する。
【００４３】
ＥＰＧデータ取得部２５０は、ＴＶチューナ１１０が受信したチャンネルＡ〜ＥのいずれかにおけるＥＰＧデータに基づいて、チャンネルに対応するＥＰＧデータテーブルを更新する。例えば、ＥＰＧデータ取得部２５０は、ＥＰＧデータが、チャンネルＡのＥＰＧデータの場合には、それに基づいて、ＥＰＧデータテーブルＡを更新する。
【００４４】
Ａ２．処理の流れ：  
本実施例におけるテレビ受像機１０は、通常時には、ＴＶチューナ１１０から出力されるＴＶ信号Ｘに基づき、画像処理回路１２０で上述のごとく所定の画像処理を行ってＴＶ画像を作成し、そのＴＶ画像を表示部１３０に表示する。しかし、ユーザにより操作部１４０を介して画像合成の指示がなされると、テレビ受像機１０は、割り込み処理として、画像合成処理を行う。以下に、この画像合成処理について、説明する。
【００４５】
図５は、本実施例における画像合成処理の流れを表すフローチャートである。
まず、画像処理部２００は、ユーザにより操作部１４０を介して、合成画像作成ボタン１４４が押されたかどうかを判断する（ステップＳ１００）。
【００４６】
画像処理部２００は、合成画像作成ボタン１４４が押されていない場合（ステップＳ１００：ＮＯ）は、そのまま待機する。この時、画像処理回路１２０により、表示部１３０には、ＴＶ画像が再生されている。
【００４７】
画像処理部２００が、合成画像作成ボタン１４４が押されたと判断すると（ステップＳ１００：ＹＥＳ）、続いて、背景画像検索部２３０は、リアルタイムクロック１５０から、現在の年月日時を取得する（ステップＳ１１０）。
【００４８】
画像取得部２２０は、合成画像作成ボタン１４４が押された際に、表示部１３０に表示されている表示画像の表示画像データをキャプチャして、キャプチャ画像データ格納部１８６に記憶する（ステップＳ１２０）。
【００４９】
背景画像検索部２３０は、合成画像作成ボタン１４４が押された際に、ＴＶチューナ１１０からチャンネル番号を取得する（ステップＳ１３０）。
【００５０】
背景画像検索部２３０は、取得したチャンネル番号に対応するＥＰＧデータテーブル（図３）を、ＥＰＧデータテーブル格納部１８４から取得する（ステップＳ１４０）。例えば、ステップＳ１３０の処理で、取得したチャンネル番号がチャンネルＡの場合には、この処理では、ＥＰＧデータテーブルＡを取得する。
【００５１】
背景画像検索部２３０は、取得したＥＰＧデータテーブルにおける該当番組番号を検索する（ステップＳ１５０）。すなわち、背景画像検索部２３０は、ステップＳ１１０の処理で取得した現在の年月日時と、番組番号別の放送期間とを比較し、現在の年月日時が含まれる番組番号を検索する。例えば、ステップＳ１１０の処理で取得した現在の年月日時が、２００４年３月３１日８：００の場合であり、ステップＳ１４０の処理で、ＥＰＧデータテーブルＡ（図３）を取得したとすると、この現在年月日時が該当する放送期間に対応する番組番号は、番組番号２となる。
【００５２】
背景画像検索部２３０は、検索の結果得られた番組番号におけるジャンル情報を取得する（ステップＳ１６０）。例えば、ＥＰＧデータテーブルＡ（図３）において、番組番号２の場合には、ジャンル情報は「スポーツ」となる。
【００５３】
背景画像検索部２３０は、背景画像データテーブルにおいて、取得したジャンル情報と一致するジャンルに対応する背景画像データ群を取得する（ステップＳ１７０）。例えば、ジャンル情報が「スポーツ」の場合には、スポーツに対応する背景画像データ群を取得する。なお、この背景画像データ群に含まれる各背景画像データの表わす背景画像は、後述で画像合成を行う際に、合成対象としての背景画像の候補となることから、以下では、背景画像候補とも呼ぶ。
【００５４】
図６は、本実施例におけるウィンドウ作成部が作成するウィンドウ画像を説明する図である。図６（ａ）は、背景画像候補を表示するウィンドウ画像Ｗ１を説明する図である。図６（ｂ）についての詳細は、後述する。
【００５５】
図６（ａ）に示すウィンドウ画像Ｗ１は、キャプチャ画像表示エリア５１０と、背景画像候補表示エリア５２０とを備えている。キャプチャ画像表示エリア５１０では、ステップＳ１２０の処理でキャプチャしたキャプチャ画像が表示されるようになっている。背景画像候補表示エリア５２０では、背景画像候補５５０を表示する。この場合、一度に背景画像候補５５０が４つ表示できるようになっている。また、背景画像候補表示エリア５２０には、ネクストボタン５４０が備えられ、背景画像候補５５０が４つ以上ある場合には、ユーザが操作部１４０の十字キー１４２を操作し、ネクストボタン５４０上で画像指定ボタン１４６を押すと、次の背景画像候補５５０が背景画像候補表示エリア５２０上に表示される。
【００５６】
ウィンドウ作成部２１０は、メモリ１９０上において、キャプチャ画像データ格納部１８６に格納されたキャプチャ画像データと、上述の処理で取得した背景画像データ群における背景画像候補とを用いて、図６（ａ）のごとく、ウィンドウ画像Ｗ１を作成し、作成したウィンドウ画像Ｗ１を表示用メモリ１２５に書き込む。そして、表示用メモリ１２５に書き込まれたウィンドウ画像Ｗ１は、画像処理回路１２０によって、表示部１３０に表示される（ステップＳ１８０）。こうして、背景画像候補が表示部１３０に表示される。
【００５７】
続いて、画像処理部２００は、背景画像が選択されたかどうかを判断する（ステップＳ１９０）。ユーザが、表示部１３０に表示されるウィンドウ画像Ｗ１において、十字キー１４２を操作し所望する背景画像候補５５０上で、画像指定ボタン１４６を押すことにより、その背景画像候補５５０が背景画像として選択される。画像処理部２００は、ユーザが背景画像を選択していない場合（ステップＳ１９０：ＮＯ）には、選択するまで待機する。
【００５８】
画像処理部２００が、ユーザが背景画像を選択したと判断すると（ステップＳ１９０：ＹＥＳ）、続いて、画像合成処理部２４０は、ユーザにより選択された背景画像における背景画像データを前面画像データとし、画像取得部２２０がキャプチャしたキャプチャ画像データを背面画像データとし、これらの画像データをメモリ１９０上で合成する。画像処理部２００は、その合成画像データを合成画像データ格納部１８８に格納する（ステップＳ２００）。
【００５９】
図６（ｂ）は、合成画像を表示するウィンドウ画像Ｗ２を説明する図である。この図６（ｂ）に示すウィンドウ画像Ｗ２は、キャプチャ画像表示エリア５１０と、合成画像表示エリア５６０と、印刷実行ボタン５３０とを備えている。キャプチャ画像表示エリア５１０の機能は、ウィンドウ画像Ｗ１と同じである。合成画像表示エリア５６０では、ステップＳ２００の処理で合成した合成画像が表示されるようになっている。また、ユーザが印刷実行ボタン５３０上で、画像指定ボタン１４６を押すと、後述の印刷実行の処理が開始される。なお、図６（ｂ）における合成画像表示エリア５６０には、図６（ａ）における４つの背景画像候補５５０のうちの左下の背景画像と、キャプチャ画像表示エリア５１０に表示されるキャプチャ画像とが合成された合成画像が示されている。
【００６０】
ウィンドウ作成部２１０は、キャプチャ画像データ格納部１８６に格納されたキャプチャ画像データと、合成画像データ格納部１８８に格納されている合成画像データと用いて、メモリ１９０上で、図６（ｂ）のごとく、ウィンドウ画像Ｗ２を作成し、作成したウィンドウ画像Ｗ２を表示用メモリ１２５に書き込む。そして、表示用メモリ１２５に書き込まれたウィンドウ画像Ｗ２は、画像処理回路１２０によって、表示部１３０に表示される（ステップＳ２０５）。こうして、合成画像が表示部１３０に表示される。
【００６１】
続いて、画像処理部２００は、印刷実行ボタン５３０（図６（ｂ））が押されたかどうかを判断する（ステップＳ２１０）。ユーザが、十字キー１４２を操作し印刷実行ボタン５３０上で、画像指定ボタン１４６を押すと、画像処理部２００は、印刷実行ボタン５３０が押されたと判断する（ステップＳ２１０：ＹＥＳ）。そして、画像処理部２００は、合成画像データ格納部１８８に格納されている合成画像データをプリンタ３００に出力し、プリンタ３００は、その合成画像データを取得し、合成画像データが表わす合成画像を印刷する（ステップＳ２２０）。画像処理部２００は、印刷実行ボタン５３０が押されていない場合（ステップＳ２１０：ＮＯ）には、そのまま待機する。
【００６２】
Ａ３．実施例の効果：
以上のように、本発明のテレビ受像機は、表示部１３０に表示される画像をキャプチャした際、リアルタイムクロック１５０から現在の年月日時を取得すると共に、ＴＶチューナ１１０からチャンネル番号を取得する。そして、これらの情報に基づいて、ＥＰＧデータテーブル（図３）において、或る番組を特定し、その番組のジャンル情報を取得する。さらに、背景画像データテーブル（図４）において、取得したジャンル情報と一致するジャンルに対応する背景画像データ群を取得し、それらを背景画像候補として表示部１３０に表示する。このようにすれば、たくさんある背景画像のうち、いくつかの背景画像を候補として絞り込むことができるので、背景画像の選択の際におけるユーザの負担を軽減することができる。また、このようにすれば、表示部１３０には、キャプチャ画像に対応する番組のジャンルに属する背景画像が表示されるので、ユーザは好適な背景画像を選択することができる。
【００６３】
また、本発明のテレビ受像機は、絞り込んだ背景画像のうち、ユーザにより選択された背景画像における背景画像データと、キャプチャしたキャプチャ画像データとを合成し、その合成画像データが表わす合成画像を、表示部１３０に表示し、もしくは、プリンタ３００で印刷する。このようにすれば、ユーザは、好適な合成画像を取得することができる。
【００６４】
Ｂ．第２の実施例：
次に、本発明における第２の実施例について説明する。本実施例のテレビ受像機は、第１の実施例のテレビ受像機１０と基本的に同様の構成となっているが、以下の点で、第１の実施例と相違する。すなわち、第１の実施例のテレビ受像機は、キャプチャ画像データと背景画像データとを合成して合成画像データを作成していたが、本実施例のテレビ受像機では、後述するメモリカードドライブを介して取得した画像データと、背景画像データとを合成して合成画像データを作成する点で相違する。また、第１の実施例のテレビ受像機は、背景画像データを選択する際、ＥＰＧデータテーブルからジャンル情報を取得し、そのジャンル情報に基づき、背景画像データを選択していたが、本実施例のテレビ受像機では、現在の年月日時を取得し、そのうちの現在月に基づいて、背景画像データを選択する点で相違する。以下では、本実施例の各部において、これらの相違する動作もしくは処理について主に説明する。
【００６５】
Ｂ１．テレビ受像機の構成：
図７は、本実施例におけるテレビ受像機の概略構成を示す説明図である。図７に示す本実施例のテレビ受像機１０Ｂは、図１と比べて、ＥＰＧデータ取得部２５０、メモリ１８０におけるＥＰＧデータテーブル格納部１８４、およびキャプチャ画像データ格納部１８６が省略されている。また、本実施例のテレビ受像機１０Ｂは、図１と比べて、メモリカードドライブ１６０Ｂおよび合成基準画像データ格納部１８７Ｂが追加されている。
【００６６】
本実施例の画像取得部２２０Ｂは、メモリカードドライブ１６０Ｂに挿入されたメモリカードから画像を取得する。なお、このメモリカードとしては、例えば、ＣＦカード（サンディスクコーポレーションの登録商標）、メモリスティックカード（ソニー株式会社の登録商標）などがある。
【００６７】
背景画像データテーブル格納部１８２Ｂは、第１の実施例とは異なった背景画像データテーブルを備えている。
図８は、本実施例における背景画像データテーブルを説明するための図である。図８（ａ）に示すように、背景画像データテーブルには、１月〜１２月の「月情報」にそれぞれ対応して、背景画像データテーブル群が記憶されている。この背景画像データ群は、対応する月情報にちなんだ内容を表現する画像データの集まりとなっている。例えば、月情報：４月に対応する背景画像データテーブル群は、図８（ｂ）の（ｉ）〜（ｉｖ）に示すように、４月の状況にちなんだ背景画像データの集まりとなっている。
【００６８】
合成基準画像データ格納部１８７Ｂは、メモリカードドライブ１６０Ｂに挿入されたメモリカードに記憶された画像データにおいて、ユーザにより、合成の基準となる合成基準画像として選択された合成基準画像データを格納する。
【００６９】
また、背景画像検索部２３０Ｂは、ユーザにより合成基準画像が選択された際に、リアルタイムクロック１５０から、現在の月情報を取得する。また、背景画像検索部２３０Ｂは、背景画像データテーブル格納部１８２Ｂに格納されている背景画像データテーブルにおいて、取得した現在の月情報に対応する背景画像データ群を取得する。
【００７０】
Ｂ２．処理の流れ：
本実施例におけるテレビ受像機１０Ｂは、通常時には、ＴＶチューナ１１０から出力されるＴＶ信号Ｘに基づき、画像処理回路１２０で上述のごとく所定の画像処理を行ってＴＶ画像を作成し、そのＴＶ画像を表示部１３０に表示する。しかし、ユーザにより操作部１４０を介して画像合成の指示がなされると、テレビ受像機１０Ｂは、割り込み処理として、画像合成処理Ｂを行う。以下に、この画像合成処理Ｂについて、説明する。
【００７１】
図９は、本実施例における画像合成処理Ｂの流れを表すフローチャートである。
まず、画像処理部２００Ｂは、ユーザにより操作部１４０を介して、合成画像作成ボタン１４４が押されたかどうかを判断する（ステップＳ３００）。
【００７２】
画像処理部２００Ｂは、合成画像作成ボタン１４４が押されていない場合（ステップＳ３００：ＮＯ）は、そのまま待機する。この時、画像処理部Ａ１２０により、表示部１３０には、ＴＶ画像が再生されている。
【００７３】
画像処理部２００Ｂは、合成画像作成ボタン１４４が押されたと判断すると（ステップＳ３００：ＹＥＳ）、続いて、メモリカードドライブ１６０Ｂにメモリカードが挿入されているかどうか判断する（ステップＳ３１０）。画像処理部２００Ｂは、メモリカードが挿入されていない場合（ステップＳ３１０：ＮＯ）は、挿入されるまで待機する。
【００７４】
図１０は、本実施例におけるウィンドウ作成部が作成するウィンドウ画像を説明する図である。図１０（ａ）は、メモリカードに記憶されている画像を表示するウィンドウ画像Ｗ３を説明する図である。図１０（ｂ）および図１０（ｃ）についての詳細は、後述する。
図１０（ａ）に示すウィンドウ画像Ｗ３は、メモリカードに記憶されている画像データが表わす画像５７０を６つ表示できるようになっている。また、ウィンドウ画像Ｗ３には、ネクストボタン５４５が備えられ、メモリカードに記憶されている画像５７０が６つ以上ある場合には、ユーザが操作部１４０の十字キー１４２を操作し、ネクストボタン５４５上で画像指定ボタン１４６を押すと、次の画像５７０が表示される。
【００７５】
画像処理部２００Ｂが、メモリカードが挿入されていると判断すると（ステップＳ３１０：ＹＥＳ）、続いて、ウィンドウ作成部２１０は、メモリ１９０上において、メモリカードに記憶されている画像データを用いて、図１０（ａ）のごとく、ウィンドウ画像Ｗ３を作成し、作成したウィンドウ画像Ｗ３を表示用メモリ１２５に書き込む。そして、表示用メモリ１２５に書き込まれたウィンドウ画像Ｗ３は、画像処理回路１２０によって、表示部１３０に表示される（ステップＳ３２０）。こうして、画像５７０が表示部１３０に表示される。
【００７６】
続いて、画像処理部２００Ｂは、メモリカードに記憶された画像データ表わす画像５７０が、後述する画像合成時に基準となる合成基準画像として選択されたかどうかを判断する（ステップＳ３３０）。ユーザが、表示部１３０に表示されるウィンドウ画像Ｗ３において、十字キー１４２を操作し所望する画像５７０上で、画像指定ボタン１４６を押すことにより、その画像５７０が合成基準画像として選択される。画像処理部２００は、ユーザが合成基準画像を選択していない場合（ステップＳ３３０：ＮＯ）には、選択するまで待機する。
【００７７】
画像処理部２００Ｂが、ユーザが合成基準画像を選択したと判断すると（ステップＳ３３０：ＹＥＳ）、続いて、画像取得部２２０Ｂは、ユーザにより選択された合成基準画像における合成基準画像データを合成基準画像データ格納部１８７Ｂに格納する（ステップＳ３３５）。
【００７８】
この時、すなわち、合成基準画像が選択された際に、背景画像検索部２３０Ｂは、リアルタイムクロック１５０から、現在の月情報を取得する（ステップＳ３４０）。
【００７９】
続いて、背景画像検索部２３０Ｂは、背景画像データテーブル格納部１８２Ｂに格納されている背景画像データテーブルにおいて、取得した現在の月情報に対応する背景画像データ群を取得する（ステップＳ３５０）。例えば、ステップＳ３４０の処理で取得した現在の月情報が、「４月」であったとすると、４月に対応する背景画像データ群を取得する。なお、この背景画像データ群に含まれる各背景画像データの表わす背景画像は、後述で画像合成を行う際に、合成対象としての背景画像の候補となることから、以下では、背景画像候補Ｂとも呼ぶ。
【００８０】
図１０（ｂ）は、背景画像候補Ｂを表示するウィンドウ画像Ｗ４を説明する図である。図１０（ｂ）に示すウィンドウ画像Ｗ４は、合成基準画像表示エリア５１０Ｂと、背景画像候補表示エリア５２０Ｂとを備えている。合成基準画像表示エリア５１０Ｂでは、ステップＳ３３０の処理で選択された合成基準画像が表示されるようになっている。背景画像候補表示エリア５２０Ｂでは、背景画像候補５５０Ｂを表示する。この場合、一度に背景画像候補５５０Ｂが４つ表示できるようになっている。また、背景画像候補表示エリア５２０Ｂには、ネクストボタン５４０Ｂが備えられ、背景画像候補５５０Ｂが４つ以上ある場合には、ユーザが操作部１４０の十字キー１４２を操作し、ネクストボタン５４０Ｂ上で画像指定ボタン１４６を押すと、次の背景画像候補５５０Ｂが背景画像候補表示エリア５２０Ｂ上に表示される。
【００８１】
ウィンドウ作成部２１０は、メモリ１９０上において、合成基準画像データ格納部１８７Ｂに格納された合成基準画像データと、上述の処理で取得した背景画像データ群における背景画像候補Ｂとを用いて、図１０（ｂ）のごとく、ウィンドウ画像Ｗ４を作成し、作成したウィンドウ画像Ｗ４を表示用メモリ１２５に書き込む。そして、表示用メモリ１２５に書き込まれたウィンドウ画像Ｗ４は、画像処理回路１２０によって、表示部１３０に表示される（ステップＳ３６０）。こうして、背景画像候補Ｂが表示部１３０に表示される。
【００８２】
続いて、画像処理部２００Ｂは、背景画像が選択されたかどうかを判断する（ステップＳ３７０）。ユーザが、表示部１３０に表示されるウィンドウ画像Ｗ４において、十字キー１４２を操作し所望する背景画像候補５５０Ｂ上で、画像指定ボタン１４６を押すことにより、その背景画像候補５５０Ｂが背景画像として選択される。画像処理部２００Ｂは、ユーザが背景画像を選択していない場合（ステップＳ３７０：ＮＯ）には、選択するまで待機する。
【００８３】
画像処理部２００Ｂが、ユーザが背景画像を選択したと判断すると（ステップＳ３７０：ＹＥＳ）、続いて、画像合成処理部２４０は、ユーザにより選択された背景画像における背景画像データを前面画像データとし、合成基準画像データ格納部１８７Ｂに格納されている合成基準画像データを背面画像データとし、メモリ１９０上で合成する。そして、画像合成処理部２４０は、合成した画像を合成画像データとして合成画像データ格納部１８８に格納する（ステップＳ３７５）。
【００８４】
図１０（ｃ）は、合成画像を表示するウィンドウ画像Ｗ５を説明する図である。この図１０（ｃ）に示すウィンドウ画像Ｗ５は、合成基準画像表示エリア５１０Ｂと、合成画像表示エリア５６０Ｂと、印刷実行ボタン５３０とを備えている。合成基準画像表示エリア５１０Ｂの機能は、ウィンドウ画像Ｗ４と同じである。合成画像表示エリア５６０Ｂでは、ステップＳ３７５の処理で合成した合成画像が表示されるようになっている。また、ユーザが印刷実行ボタン５３０上で、画像指定ボタン１４６を押すと、後述の印刷実行の処理が開始される。なお、図１０（ｃ）における合成画像表示エリア５６０Ｂには、図１０（ｂ）における４つの背景画像候補５５０Ｂのうちの右上の背景画像と、合成基準画像表示エリア５１０Ｂに表示される合成基準画像とが合成された合成画像が示されている。
【００８５】
ウィンドウ作成部２１０は、合成基準画像データ格納部１８７Ｂに格納された合成基準画像データと、合成画像データ格納部１８８に格納されている合成画像データと用いて、メモリ１９０上で、図１０（ｃ）のごとく、ウィンドウ画像Ｗ５を作成し、作成したウィンドウ画像Ｗ５を表示用メモリ１２５に書き込む。そして、表示用メモリ１２５に書き込まれたウィンドウ画像Ｗ５は、画像処理回路１２０によって、表示部１３０に表示される（ステップＳ３８０）。こうして、合成画像が表示部１３０に表示される。
【００８６】
続いて、画像処理部２００Ｂは、印刷実行ボタン５３０（図１０（ｃ））が押されたかどうかを判断する（ステップＳ３９０）。ユーザが、十字キー１４２を操作し印刷実行ボタン５３０上で、画像指定ボタン１４６を押すと、画像処理部２００Ｂは、印刷実行ボタン５３０が押されたと判断する（ステップＳ３９０：ＹＥＳ）。そうすると、プリンタ３００は、合成画像データ格納部１８８に格納されている合成画像データを取得し、その合成画像を印刷する（ステップＳ４００）。画像処理部２００Ｂは、印刷実行ボタン５３０が押されていない場合（ステップＳ３９０：ＮＯ）には、そのまま待機する。
【００８７】
Ｂ３．実施例の効果：
本発明のテレビ受像機１０Ｂは、ユーザにより合成基準画像が選択された際に、リアルタイムクロック１５０から、現在の月情報を取得する。そして、背景画像データテーブル格納部１８２Ｂに格納されている背景画像データテーブルにおいて、取得した現在の月情報に対応する背景画像データ群を取得し、それらを背景画像候補として表示部１３０に表示する。このようにすれば、たくさんある背景画像のうち、いくつかの背景画像を候補として絞り込むことができるので、背景画像の選択の際におけるユーザの負担を軽減することができる。また、このようにすれば、合成基準画像に対応する月を連想させる背景画像が表示されるので、ユーザは、現在の月に応じた好適な背景画像を選択することができる。
【００８８】
また、本発明のテレビ受像機は、絞り込んだ背景画像のうち、ユーザにより選択された背景画像における背景画像データと、合成基準画像データとを合成し、その合成画像データが表わす合成画像を、表示部１３０に表示し、もしくは、プリンタ３００で印刷する。このようにすれば、ユーザは、現在の月に応じた好適な合成画像を取得することができる。
【００８９】
Ｃ．変形例：
なお、本発明では、上記した実施の形態に限られるものではなく、その要旨を逸脱しない範囲において種々の態様にて実施することが可能である。
【００９０】
Ｃ１．変形例１：
上記第２の実施例のテレビ受像機１０Ｂにおいて、第１の実施例におけるキャプチャ画像データ格納部１８６を備え、さらに、テレビ受像機１０Ｂの画像取得部２２０Ｂは、上記第１の実施例における画像取得部２２０と同様の機能を有していてもよい。このようにすれば、画像取得部２２０Ｂは、キャプチャしたキャプチャ画像をキャプチャ画像データ格納部１８６に格納することができ、このキャプチャ画像を第２の実施例における合成基準画像とすることもできる。
【００９１】
Ｃ２．変形例２：
上記実施例におけるテレビ受像機１０もしくは１０Ｂにおいて、少なくとも上述した画像合成処理もしくは画像合成処理Ｂを実施可能な機能を、他の画像処理装置が備えていてもよい。
【００９２】
Ｃ３．変形例３：
上記第１の実施例では、背景画像検索部２３０は、番組データにおけるジャンル情報に基づいて、背景画像データ群の選定を行っているが、本発明は、これに限られるものではない。例えば、背景画像検索部２３０は、番組データにおける番組詳細に含まれるキーワードや、出演者情報に基づいて背景画像データ群を選定してもよい。
【００９３】
Ｃ４．変形例４：
上記第２の実施例では、背景画像検索部２３０Ｂは、リアルタイムクロック１５０から取得した現在月情報に基づいて背景画像データ群の選定を行っているが、本発明はこれに限られるものではない。例えば、背景画像検索部２３０Ｂは、リアルタイムクロック１５０から、年情報、もしくは日情報、もしくは時間情報を取得し、これらの情報に基づいて、背景画像データ群の選定を行うようにしもよい。この場合、背景画像データテーブルは、年情報、もしくは日情報、もしくは時間情報に対応する内容にちなんだ画像データの集まりとすればよい。
【００９４】
Ｃ５．変形例５：
上記第１の実施例において、ＥＰＧデータ取得部２５０は、ＴＶチューナ１１０が受信するＥＰＧデータに基づいて、ＥＰＧデータテーブル格納部１８４に格納されているＥＰＧデータテーブルを更新するようにしているが、本発明はこれに限られるものではない。例えば、テレビ受像機１０は、インターネット（図示せず）に接続されており、ＥＰＧデータ取得部２５０は、そのインターネットから得られるＥＰＧデータに基づいて、ＥＰＧデータテーブル格納部１８４に格納されているＥＰＧデータテーブルを更新するようにしてもよい。
【００９５】
Ｃ６．変形例６：
上記実施例におけるテレビ受像機１０および１０Ｂは、ＴＶチューナ１１０で、アンテナを介して電波としてのＴＶ信号を受信しているが、本発明はこれに限られるものではなく、インターネット（ブロードバンド）を介して、ＴＶ信号を受信するようにしてもよい。
【００９６】
Ｃ７．変形例７：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００９７】
Ｃ８．変形例８：
上記実施例では、プリンタ３００は、バス１００ｂを介して接続されているが、本発明は、これに限られるものではなく、プリンタ３００を設けなくてもよいし、または、所定の入力インタフェイス（図示せず）を介して、外部接続されてもよい。
【００９８】
Ｃ９．変形例９：
上記第２の実施例では、メモリカードドライブ１６０Ｂを介して合成基準画像データを取得しているが、本発明はこれに限られるものではない。例えば、テレビ受像機１０ＢにＣＤ−ＲＯＭドライブ、ＣＤ−Ｒドライブ、ＤＶＤドライブなどの種々の画像入力可能な装置が接続され、それらの装置を介して合成基準画像データを取得するようにしてもよい。
【００９９】
Ｃ１０．変形例１０：
上記第２の実施例では、背景画像検索部２３０Ｂは、リアルタイムクロック１５０から取得した現在月情報に基づいて背景画像データ群の選定を行っているが、本発明はこれに限られるものではない。例えば、メモリカードに記憶されている画像データはキャプチャされた画像で、画像データに番組データが付随されて記憶されている場合は、背景画像検索部２３０Ｂはその番組データに基づいて、上記第１の実施例のように背景画像データ群を選定してもよい。また、この場合、テレビ受像機１０Ｂは第１の実施例におけるキャプチャ画像データ格納部１８６とＥＰＧデータ取得部２５０とＥＰＧデータテーブル格納部１８４とを備え、ＣＰＵ１００はキャプチャした画像データを、キャプチャした時期や関連する番組データとともにメモリカードに記憶させてもよい。さらに、背景画像検索部２３０Ｂは、メモリカードに記憶されている画像データに付随して記憶されるキャプチャされた時期のデータからＥＰＧデータテーブル格納部１８４に格納されている当該画像データに関する番組データを取得して、それに基づいて背景画像データ群を選定してもよい。
【０１００】
Ｃ１１．変形例１１：
上記第１の実施例では、背景画像検索部２３０は、番組データに基づいて、背景画像データ群の選定を行っているが、本発明はこれに限られるものではない。例えば、テレビ受像機１０は、受信するチャンネルの選局が容易に行えるように選局操作の際に受信するチャンネル設定があらかじめ格納されるチャンネル設定格納部（図示せず）と、このチャンネル設定やＥＰＧデータテーブル格納部１８４に格納された番組データから当該テレビ受像機１０が設置されている地域情報を検索する設置地域検索部（図示せず）と、を備え、背景画像検索部２３０は、この地域情報に基づいて背景画像データ群を選定してもよい。
【０１０１】
Ｃ１２．変形例１２：
上記実施例では、背景画像検索部２３０または２３０ｂは、番組データにおけるジャンル情報やリアルタイムクロック１５０から取得した現在月情報といった一種類の情報に基づいて、背景画像データ群の選定を行っているが、本発明はこれに限られるものではない。例えば、背景画像検索部２３０または２３０Ｂは、複数の情報を組み合わせて得た情報に基づいて背景画像データ群を選定してもよい。
【０１０２】
Ｃ１３．変形例１３：
上記実施例におけるテレビ受像機は、リアプロジェクションＴＶであってもよい。
【図面の簡単な説明】
【０１０３】
【図１】本発明の第１の実施例におけるテレビ受像機の概略構成を示す説明図である。
【図２】第１の実施例におけるテレビ受像機の正面図である。
【図３】第１の本実施例におけるＥＰＧデータテーブルの一例を示す模式図である。
【図４】第１の実施例における背景画像データテーブルを説明するための図である。
【図５】第１の実施例における画像合成処理の流れを表すフローチャートである。
【図６】第１の実施例におけるウィンドウ作成部が作成するウィンドウ画像を説明する図である。
【図７】第２の実施例におけるテレビ受像機の概略構成を示す説明図である。
【図８】第２の実施例における背景画像データテーブルを説明するための図である。
【図９】第２の実施例における画像合成処理Ｂの流れを表すフローチャートである。
【図１０】第２の実施例におけるウィンドウ作成部が作成するウィンドウ画像を説明する図である。
【符号の説明】
【０１０４】
１０...テレビ受像機
１０Ｂ...テレビ受像機
１００ｂ...バス
１２０...画像処理回路
１２５...表示用メモリ
１３０...表示部
１４０...操作部
１４２...十字キー
１４４...合成画像作成ボタン
１４６...画像指定ボタン
１５０...リアルタイムクロック
１６０Ｂ...メモリカードドライブ
１８０...メモリ
１８２...背景画像データテーブル格納部
１８２Ｂ...背景画像データテーブル格納部
１８６...キャプチャ画像データ格納部
１８７Ｂ...合成基準画像データ格納部
１８８...合成画像データ格納部
１９０...メモリ 
２００...画像処理部
２００Ｂ...画像処理部
２１０...ウィンドウ作成部
２２０...画像取得部
２２０Ｂ...画像取得部
２３０...背景画像検索部
２３０Ｂ...背景画像検索部
２４０...画像合成処理部
３００...プリンタ
５１０...キャプチャ画像表示エリア
５２０...背景画像候補表示エリア
５３０...印刷実行ボタン
５４０...ネクストボタン
５５０...背景画像候補
５６０...合成画像表示エリア
５１０Ｂ...合成基準画像表示エリア
５２０Ｂ...背景画像候補表示エリア
５５０Ｂ...背景画像候補
５４０Ｂ...ネクストボタン
５６０Ｂ...合成画像表示エリア
【図１】
2005284770.tif 000003
【図２】
2005284770.tif 000004
【図３】
2005284770.tif 000005
【図４】
2005284770.tif 000006
【図５】
2005284770.tif 000007
【図６】
2005284770.tif 000008
【図７】
2005284770.tif 000009
【図８】
2005284770.tif 000010
【図９】
2005284770.tif 000011
【図１０】
2005284770.tif 000012